【事件の表示】
　特願２０１２−１６９１８１「認知症及び他の神経障害の診断方法」拒絶査定不服審判事件〔平成２４年１２月２７日出願公開、特開２０１２−２５５７９３〕について、次のとおり審決する。
【結　論】
　本件審判の請求は、成り立たない。
【理　由】
第１　手続の経緯
　本願は、平成１９年２月２８日に出願した特願２００８−５５６６２２号（パリ条約による優先権主張　２００６年２月２８日　（ＵＳ）アメリカ合衆国、２００６年６月１４日　（ＵＳ）アメリカ合衆国、２００７年２月８日　（ＵＳ）アメリカ合衆国）の一部を、平成２４年７月３１日に新たな特許出願としたものであって、平成２４年８月２７日に手続補正書が提出され、平成２５年１月３１日付けで拒絶理由が通知され、同年７月３１日に意見書及び手続補正書が提出され、平成２６年２月２０日付けで拒絶査定がなされ、これに対し、同年６月２６日に拒絶査定不服審判の請求がなされ、それと同時に手続補正書が提出されたものである。
第２　平成２６年６月２６日にされた手続補正についての補正の却下の決定
［補正の却下の決定の結論］
　平成２６年６月２６日にされた手続補正（以下「本件補正」という。）を却下する。
［理由］
１　本件補正の内容について
（１）本件補正発明
　本件補正は、特許請求の範囲の請求項１を次のとおりに補正（下線部は、補正箇所である。）する補正事項をその一部に含むものである。
「【請求項１】
患者のアルツハイマー病の健康状態若しくは健康状態における変化の判定方法、又は患者のアルツハイマー病、認知症、認知障害、アルツハイマー病のリスク、認知障害のリスク、若しくは認知症のリスクの判定
をするためのデータを収集する
ａ）前記患者由来の少なくとも１つの血液試料を高分解能質量分析により分析して、正確な質量強度データを得るステップ、
ｂ）前記正確な質量強度データを、１又は複数の標準試料から得た対応するデータと比較して、前記正確な質量強度データにおける増加又は減少を確認するステップ、及び
ｃ）前記正確な質量強度データにおける増加又は減少を
指標として
前記正確な質量強度データが、ダルトン単位で、以下からなる群から選択される水素及び電子を調整した正確な質量若しくは正確な中性質量又はそれらと±５ｐｐｍの範囲内で、分析により得られ
、
１６１．１０５３、１７４．１４０９、１８３．０６６１、１８３．０６６２、１８６．１４０８、１８８．１５６６、１９０．０３３０、１９５．８５７７、１９７．８５４９、２００．１５６４、２０２．０４５３、２０２．１７２０、２０３．１１５７、２０４．１８７６、２０５．８８６５、２１４．１７２０、２１５．９１５３、２１６．１８７７、２１８．０１９２、２２８．１８７７、２３１．８８９３、２３２．２１８８、２４２．２０３０、２４３．０７１８、２４４．０５５９、２４４．２１８７、２４６．１４６５、２４６．１４７２、２５２．２０９５、２５３．８１６３、２６０．２１３５、２６２．２２９３、２６４．２４５２、２７０．２３４３、２７６．２０９５、２７８．２２５４、２７８．２２５５、２８２．２５７３、２８３．２６０２、２８３．９０２８、２８７．２８２４、２９４．１４４３、２９４．２２０７、２９５．２２３９、２９５．２２８７、３０２．２２５５、３０３．１０７９、３０４．２４０２、３０４．２４１０、３０５．２４３８、３０６．２５６９、３１０．２８８３、３１２．２３１２、３１２．２６６３、３１３．１１５３、３１３．２６９０、３１３．７７２２、３２０．２３５６、３２０．２３５７、３２８．２４０２、３３６．２６６２、３３８．２８２１、３３９．２８５０、３４０．２９７６、３５０．２４２３、３５１．８９０３、３６５．３１５９、３７１．３５４２、３８０．３０９６、３８２．１０８２、３８２．１０８３、３８３．３２８３、３８３．３２８４、３９２．２９３８、３９９．８１９６、４０１．８１６６、４０９．０２０８、４０９．８４８４、４１１．３２１１、４１１．３２１２、４１９．８７７３、４２９．３７４９、４２９．６８８８、４３０．３８１８、４３１．３８６０、４３１．９５７０、４３２．３２５４、４４０．３５３２、４４４．２７１７、４４６．３４０３、４５８．２４０４、４５８．２４０５、４６７．８０７０、４６９．８０４２、４７４．３７０６、４７８．２５４０、４７８．３６６４、４８１．３１７２、４８２．３２１５、４８４．３０４１、４８４．３７９４、４８８．３８７３、４８９．６４５１、４９０．３６４１、４９２．３８１６、４９３．３８５０、４９４．４３４２、４９４．４３４３、４９５．３３２０、４９６．３３５５、５０１．３２１２、５０４．３８１４、５０５．３２２９、５０６．２８５１、５０６．３２１３、５０６．３２１４、５０７．３３１６、５０７．７０５５、５０８．３３５６、５０９．３４９３、５０９．３４９４、５１２．３３５６、５１２．４０８２、５１３．４１２２、５１７．３１３６、５１７．３１４０、５１７．３７２２、５１８．３１７４、５１８．４３４５、５１８．４３４６、５１９．３３２１、５２０．３３５３、５２０．３３５４、５２０．４４９９、５２０．４５００、５２１．３４７４、５２１．３４７７、５２１．４５２２、５２２．３５１１、５２２．４６３４、５２２．４６３５、５２３．３６３４、５２３．３６３５、５２３．４６７８、５２３．４６７９、５２３．４６８０、５２９．３１６６、５２９．３１６７、５３０．３２１３、５３０．３４７１、５３０．３８２０、５３０．３８２１、５３５．７９４４、５３６．４７９４、５３８．４２２４、５４１．３１３９、５４１．３４３０、５４１．３４３２、５４１．３４３３、５４１．３４３５、５４１．４４２５、５４２．３１７３、５４２．３４６１、５４３．３２９６、５４４．３９７０、５４４．３９７１、５４４．４４７９、５４４．４４８１、５４５．３４５３、５４５．６０６２、５４６．３４８５、５４６．３４８６、５４７．６０３１、５４８．４８１５、５４９．４８４４、５４９．４８４５、５４９．６００５、５５０．４９５６、５５０．４９５７、５５１．４９８５、５５１．４９８６、５５２．５０２１、５５２．５０２２、５５５．３０９８、５５５．３１０１、５５５．３１０２、５５８．４６６７、５５９．４６９０、５５９．４７００、５６４．５１３４、５６５．３３９３、５６５．３３９４、５６５．３３９６、５６５．４１０４、５６６．３４３４、５６６．４１３０、５６７．３５４５、５６７．３５４７、５６８．３５７３、５６８．３５７４、５６９．３６８５、５６９．３６８７、５６９．３６９０、５６９．４７８４、５７０．３７２４、５７０．３７２５、５７２．４４６８、５７２．４８１６、５７３．４８５２、５７４．４５９７、５７４．４６３７、５７５．２７２８、５７５．４６３２、５７５．４９９０、５７６．４７７０、５７６．５０９７、５７６．５０９８、５７７．５１３６、５７７．５１３７、５７８．５２７７、５７９．５３２５、５８０．５３５０、５８０．５３５１、５８０．５３５２、５８１．３３４４、５８１．３３４５、５８２．２４７３、５８４．２６４６、５８５．２６６４、５８５．２６７３、５８８．４７３１、５８９．３４０３、５８９．３４０４、５９０．３４３０、５９０．３４３１、５９１．３５４２、５９２．３５７１、５９３．４７４３、５９４．４８７８、５９５．４９３２、５９６．４７９１、５９７．４８４０、５９８．４９６５、５９８．５１２４、５９９．４９３６、６００．５１２７、６０１．５１６４、６０２．５２８２、６０３．５３１７、６０４．５４３２、６０４．５４３３、６０５．５４５６、６０５．５４５７、６０６．４８６９、６０７．４９１９、６１０．３６８６、６１３．３４０５、６１４．４９１４、６１５．３５３９、６１５．４７９８、６１５．４９３８、６１６．４６７３、６１６．５０５２、６１７．５０８９、６１８．４８２９、６２４．５１３１、６２５．５０７５、６２５．５０７６、６２５．５１６１、６２６．５１０４、６２６．５１０８、６２６．５２７７、６２６．５２７８、６２７．５２０１、６２７．５３０２、６２７．５３０４、６２８．５２３７、６２８．５４２１、６２９．５４４９、６３０．４８６１、６３０．５５８６、６３０．５５８７、６３１．４９０２、６３１．５６１９、６３１．６２８０、６３２．５０３２、６３２．５０３５、６３２．５７６２、６３３．５０７８、６３８．５１４９、６４０．５２９４、６４６．４８３７、６５１．５２２１、６５３．５３６０、６５３．５３６１、６６１．６２３３、６６２．５１７５、６６３．４８７０、６６３．５２１６、６６４．５３２２、６６４．５３２３、６６５．５０１０、６６５．５３５４、６６６．５４５５、６６６．５４５６、６６７．５４７４、６６７．５４７５、６７０．５６８９、６７０．５６９０、６７１．５７２２、６７１．５７２３、６７１．５７２６、６７５．６３５７、６７５．６３７７、６７８．５４７７、６８０．５６２３、６８４．５４８９、６８４．５４９１、６８５．２６００、６８５．２６０１、６８５．５５３８、６８６．４８７７、６８６．４８８０、６９１．１９５７、６９１．５９６０、６９４．６１６１、６９９．５１９８、６９９．５１９９、６９９．５２００、６９９．５２０３、７００．５５２０、７０１．５３５９、７０２．５６７７、７０３．５５１６、７０３．５７０９、７０５．６０９３、７０９．２５９４、７０９．２５９５、７１１．２５７７、７１５．５１６７、７１５．５１６９、７１９．６２３１、７１９．６２３３、７２０．６２５８、７２０．６４３８、７２１．６３９０、７２２．４７８９、７２２．５３３４、７２２．５３３５、７２２．６４２４、７２３．５１９４、７２３．５１９５、７２３．５１９７、７２３．５２０３、７２４．５２５６、７２４．５２５７、７２４．５２５８、７２４．５４９３、７２５．５３５９、７２５．５３８５、７２５．５５２７、７２６．５４５９、７２６．５４６１、７２６．５４６２、７２７．５５１６、７２７．５５６７、７２７．５５６８、７２７．５５６９、７２８．５６２６、７２８．５６２７、７２８．５６２９、７２９．５６７２、７３１．４９１４、７３１．４９１６、７３１．４９１７、７３１．５４６３、７３１．５４６４、７３１．５８２９、７３２．４９３７、７３２．４９３８、７３２．４９３９、７３２．４９４０、７３３．６４２６、７３８．５４４５、７３８．５４４８、７３９．５１４１、７３９．５１４２、７３９．５１４３、７３９．５１６４、７４１．５３０５、７４１．５３０７、７４１．５３１９、７４３．５４６４、７４３．５４６６、７４３．５４６７、７４３．５４６８、７４３．５４６９、７４３．５４７０、７４３．５４７１、７４４．４９５４、７４４．４９５６、７４４．５５００、７４４．５５３５、７４４．５５３６、７４５．５６５６、７４５．５６５８、７４６．５１１９、７４６．５５７０、７４６．５７１４、７４６．５７１７、７４６．５７１９、７４７．５２０１、７４７．５２０３、７４７．５２４４、７４７．５２４５、７４８．５２８６、７４８．５２８７、７４８．５７２１、７４８．５７３５、７４９．５３５９、７４９．５３６５、７４９．５３６７、７４９．５４０６、７４９．５４０７、７４９．５４０８、７４９．５７６０、７４９．５７６１、７４９．５７７７、７５０．５４０２、７５０．５４０３、７５０．５４３８、７５０．５４４０、７５１．５５１６、７５１．５５２９、７５１．５５５３、７５１．５５５５、７５１．５５５６、７５２．５５６４、７５２．５５８１、７５２．５５８３、７５３．５６７２、７５３．５６７２、７５５．４８６０、７５５．４８６１、７５５．５４６７、７５５．５４６８、７５７．４９８９、７５７．４９９１、７５７．４９９３、７５７．５０１４、７５７．５０１６、７５７．５６２５、７５７．５６２６、７５８．５０９２、７５８．５０９４、７５８．５６５５、７５８．５６５６、７５９．５１６２、７５９．５１６３、７５９．５１６４、７５９．５１６５、７５９．５７７９、７６０．５２１５、７６０．５２１６、７６０．５２１７、７６０．５８１１、７６１．５８４３、７６１．５８４６、７６３．５１５７、７６５．５３１３、７６５．５３３４、７６５．５３３５、７６７．５４６９、７６７．５４７０、７６７．５４９４、７６７．５４９５、７６８．５５０３、７６８．５５０４、７６８．５５３８、７６８．５５３９、７６９．５６５４、７６９．５６５５、７６９．５６５６、７７１．５８１３、７７１．５８１４、７７１．５８１５、７７２．５２７８、７７２．５２８０、７７２．５８６０、７７２．５８６２、７７２．５８６３、７７３．５３４７、７７３．５３６８、７７３．５３７０、７７４．０３１３、７７４．０３１６、７７５．５５１６、７７５．５５２７、７７５．５５２８、７７５．５５３０、７７５．５５３３、７７５．５５３５、７７７．５２８７、７７７．５２８８、７７７．５５３０、７７７．５５３１、７７７．５６７２、７７９．５４４１、７７９．５４４２、７７９．５４４４、７７９．５８２９、７８０．５４７４、７８０．５４７５、７８１．５６１６、７８１．５６１７、７８１．５６２０、７８１．５９８５、７８２．５０８４、７８２．５０８５、７８２．５０８６、７８２．５６４９、７８２．５６５０、７８２．５６５３、７８３．４３１５、７８３．５１４７、７８３．５１４８、７８３．５６７１、７８３．５６７２、７８３．５７７８、７８４．５２３５、７８４．５２３７、７８４．５２３９、７８４．５８１０、７８４．５８１１、７８５．５９３３、７８６．５４１５、７８６．５４１６、７８６．５９６７、７８７．５４６４、７８７．５４６５、７８７．５７２８、７８７．５７２９、７８９．５８９２、７８９．５８９３、７９３．５３８６、７９３．５３８７、７９３．５６７９、７９３．５６８１、７９４．５４２１、７９４．５４２２、７９５．５１８１、７９５．５１８２、７９５．５１８３、７９５．５５５０、７９５．５５５１、７９５．５８３７、７９５．５８３８、７９５．５８３９、７９６．５２９０、７９６．５２９２、７９６．５８７４、７９６．５８７６、７９８．６７４２、８０１．５５５０、８０２．７０５６、８０３．５４４５、８０３．５６７７、８０３．５６７８、８０３．５６８０、
８０３．５６８１、８０４．５４７５、８０４．５４７６、８０４．５７１３、８０４．５７１８、８０４．７２２７、８０４．７２３０、８０５．５６０４、８０５．５６０５、８０５．５８３１、８０５．５８３２、８０５．５８３９、８０６．５６３７、８０６．５６３８、８０６．５６３９、８０６．５８７３、８０７．５７５７、８０７．５７５８、８０７．５７６８、８０７．５８９９、８０７．５９００、８０８．５７９２、８０８．５８０３、８０９．５９３６、８０９．５９３７、８１０．５３９９、８１０．５４００、８１０．５４０１、８１０．５９６９、８１０．５９７１、８１１．５７３２、８１１．６０９６、８１２．５７６１、８１２．５７６２、８１３．５８８５、８１４．５９１７、８１４．５９１９、８１７．５３７５、８１７．５３７６、８１７．５３７７、８１７．５３７８、８１７．５８３８、８１７．５８４０、８１９．５５５１、８１９．５５５２、８１９．５５５３、８１９．５６４１、８１９．５６４２、８２０．５６７７、８２０．５６７９、８２０．５６８０、８２１．５７１１、８２１．５７１２、８２１．５７１３、８２４．６８９２、８２５．５５４４、８２５．６９２６、８２５．６９２７、８２６．５５８１、８２６．７０４８、８２６．７０６９、８２６．７０７０、８２７．５４４８、８２７．５６９９、８２７．５７００、８２７．５７０１、８２７．７０８３、８２７．７０８６、８２８．５７３６、８２８．５７３７、８２８．５７４２、８２８．５７４３、８２８．７２０２、８２８．７２０７、８２９．５６０４、８２９．５８５６、８２９．５８５９、８２９．７２３９、８２９．７２４２、８２９．７２４４、８２９．７２４６、８３０．５８９４、８３０．７３５２、８３０．７３５５、８３０．７３６２、８３０．７３６３、８３１．５７５９、８３１．５７６０、８３１．５９９５、８３１．５９９７、８３１．５９９８、８３１．６０００、８３１．６００１、８３１．７３８７、８３１．７４０８、８３２．５７９１、８３２．５７９２、８３２．６０２４、８３２．６０２６、８３２．６０２７、８３２．６０３６、８３２．６０３７、８３２．７４９２、８３２．７４９５、８３２．７５２１、８３２．７５２２、８３２．７５２３、８３３．５９３１、８３３．５９３２、８３３．７５５１、８３３．７５５８、８３３．７５７０、８３３．７５７１、８３５．６９９８、８３５．７００１、８３５．７００６、８３６．７０７６、８３７．５０２７、８３７．５８８１、８３７．７１８０、８３８．７２２６、８３８．７２３２、８３９．６０３１、８４０．６０６３、８４２．７３８７、８４７．５３１６、８４７．５９５３、８４７．５９５４、８５１．５６９８、８５２．５７３８、８５２．７２５０、８５３．５８５４、８５３．５８５５、８５３．５８６２、８５３．７２９６、８５４．５９０２、８５５．６０１５、８５５．６０１６、８５５．６０２３、８５５．６０２５、８５５．７４１７、８５６．６０６１、８５６．６０６３、８５６．６７２０、８５６．７４８１、８５７．６１８６、８５７．７５３１、８５８．６２１１、８５８．６２１２、８５８．６８６０、８５８．６８６１、８５８．７６３２、８５８．７６６３、８５９．７６９４、８５９．７６９５、８５９．７６９６、８５９．７７０６、８６０．７７５２、８６０．７７５３、８６０．７７５６、８６１．７８０１、８６１．７８０６、８６３．６８７６、８６３．７３３６、８６４．７３８０、８６４．７５９６、８６５．７４８６、８６５．７４８７、８６６．７５３２、８６６．７５３３、８６７．７５７９、８６７．７５８１、８７０．７３０７、８７１．５５２７、８７１．５５２８、８７１．５５２９、８７１．５９３４、８７１．５９３５、８７４．７６４５、８７８．７４００、８７９．５９９９、８７９．７４５４、８８０．６０３５、８８０．７５１６、８８０．７５６６、８８１．７５５８、８８１．７６１６、８８２．７６６０、８８２．７７２３、８８３．７７０５、８８３．７７６５、８８４．７８０１、８８４．７８７７、８８５．７８５４、８８５．７９２２、８８６．５５８２、８８６．５５８４、８８６．７９１６、８８６．７９１７、８８６．８０１２、８８７．７３５２、８８７．７９９９、８８７．８００１、８８７．８００５、８８８．７３９４、８８９．７４９２、８９０．７５３５、８９４．７８１０、９０８．７８３２、９０９．７８８２、９１０．７９６８、９１１．８０３２、９１３．７５１３、９１４．７５８３、９１５．５１９１、９１５．５１９２、９１５．７６８１、９１６．７７４３、９２１．８１４２、９２１．８１４５、９２１．８１５３、９２８．７５０５、９３１．７６９５、９４２．７８７９、１０１８．９４２０、１０１９．３８３８、１０１９．３８４０、１０８５．３２９４、１０９８．９７３９、１０９８．９７４０、１２２５．０９２０、１２２６．０９６８、１２２６．０９７０、１２２７．１０７０、１２２８．１１１０、１２２８．１１１１及びそれらの組合せ
；
以下の正確な質量が、ＡＤの存在又はリスクの指標であり：
１８３．０６６１、２１５．９１５３、３０３．１０７９、３０４．２４１、３０５．２４３８、３０６．２５６９、３１２．２３１２、３１３．１１５３、３２０．２３５６、３４０．２９７６、３８０．３０９６、３８３．３２８３、３８３．３２８４、４０９．０２０８、４１１．３２１１、４１１．３２１２、４３０．３８１８、４３１．３８６、４４０．３５３２、４４４．２７１７、４５８．２４０５、４７８．２５４、４７８．３６６４、４８１．３１７２、４８２．３２１５、４９０．３６４１、４９２．３８１６、４９３．３８５、４９５．３３２、４９６．３３５５、５０４．３８１４、５０５．３２２９、５０６．２８５１、５０６．３２１３、５０７．３３１６、５０９．３４９３、５１２．４０８２、５１７．３１３６、５１７．３１４、５１７．３７２２、５１８．３１７４、５１９．３３２１、５２０．３３５４、５２０．４４９９、５２１．３４７７、５２１．４５２２、５２２．４６３５、５２３．３６３４、５２３．４６７９、５２９．３１６７、５３０．３８２、５３０．３８２１、５３６．４７９４、５４１．３１３９、５４１．３４３２、５４１．３４３５、５４２．３１７３、５４２．３４６１、５４３．３２９６、５４４．３９７、５４５．３４５３、５４６．３４８５、５４８．４８１５、５４９．４８４５、５５０．４９５７、５５１．４９８６、５５２．５０２２、５５５．３１０１、５５５．３１０２、５６４．５１３４、５６５．３３９４、５６６．３４３４、５６７．３５４７、５６８．３５７３、５６９．３６８７、５６９．３６９、５７０．３７２５、５７４．４６３７、５７５．２７２８、５７８．５２７７、５７９．５３２５、５８０．５３５１、５８１．３３４４、５８２．２４７３、５８４．２６４６、５８８．４７３１、５８９．３４０３、５８９．３４０４、５９０．３４３、５９１．３５４２、５９２．３５７１、５９８．５１２４、６００．５１２７、６０１．５１６４、６０４．５４３３、６０５．５４５７、６１０．３６８６、６１４．４９１４、６１５．３５３９、６１５．４７９８、６１６．５０５２、６１８．４８２９、６２４．５１３１、６２６．５２７８、６２７．５３０４、６３１．６２８、６３８．５１４９、６４０．５２９４、６６２．５１７５、６６３．５２１６、６６４．５３２２、６６４．５３２３、６６５．５０１、６６５．５３５４、６６６．５４５５、６６６．５４５６、６６７．５４７４、６６７．５４７５、６７０．５６８９、６７０．５６９、６７１．５７２２、６７１．５７２３、６７５．６３７７、６７８．５４７７、６８４．５４８９、６８４．５４９１、６８５．２６、６８５．５５３８、６８６．４８７７、６９１．５９６、６９４．６１６１、６９９．５１９８、６９９．５１９９、７０５．６０９３、７１１．２５７７、７１５．５１６７、７１９．６２３１、７２０．６２５８、７２３．５１９４、７２３．５１９５、７２３．５１９７、７２４．５２５７、７２４．５２５８、７２５．５３８５、７２６．５４６１、７２６．５４６２、７２７．５５６７、７２７．５５６８、７２８．５６２７、７２８．５６２９、７３１．４９１４、７３１．４９１６、７３１．５４６４、７３２．４９３７、７３２．４９３８、７３３．６４２６、７３９．５１４２、７３９．５１４３、７４１．５３０５、７４１．５３０７、７４１．５３１９、７４３．５４６６、７４３．５４６８、７４３．５４６９、７４３．５４７、７４３．５４７１、７４４．４９５６、７４４．５５、７４４．５５３５、７４４．５５３６、７４５．５６５６、７４５．５６５８、７４６．５５７、７４６．５７１４、７４６．５７１７、７４７．５２０１、７４７．５２４４、７４７．５２４５、７４８．５２８６、７４８．５２８７、７４８．５７３５、７４９．５３６７、７４９．５４０６、７４９．５４０７、７５０．５４０２、７５０．５４０３、７５０．５４３８、７５０．５４４、７５１．５５２９、７５１．５５５３、７５１．５５５５、７５２．５５６４、７５２．５５８１、７５２．５５８３、７５５．４８６、７５５．５４６８、７５７．４９９１、７５７．５０１４、７５７．５６２５、７５７．５６２６、７５８．５０９２、７５８．５６５６、７５９．５１６２、７５９．５１６３、７５９．５７７９、７６０．５２１５、７６０．５２１６、７６０．５８１１、７６１．５８４３、７６１．５８４６、７６５．５３１３、７６５．５３３４、７６５．５３３５、７６７．５４７、７６７．５４９４、７６７．５４９５、７６８．５５０３、７６８．５５０４、７６８．５５３８、７６８．５５３９、７６９．５６５４、７６９．５６５６、７７１．５８１３、７７１．５８１４、７７２．５２７８、７７２．５８６，７７２．５８６２、７７３．５３６８、７７３．５３７、７７４．０３１３、７７５．５５２７、７７５．５５２８、７７５．５５３３、７７７．５５３、７７９．５４４４、７８０．５４７４、７８１．５６１７、７８１．５６２、７８２．５０８４、７８２．５０８５、７８２．５６５、７８２．５６５３、７８３．５１４７、７８３．５１４８、７８３．５６７２、７８４．５２３５、７８４．５２３７、７８４．５８１１、７８５．５９３３、７８６．５４１５、７８６．５４１６、７８６．５９６７、７８７．５４６４、７８７．５４６５、７８７．５７２８、７８７．５７２９、７８９．５８９２、７８９．５８９３、７９３．５３８６、７９３．５６７９、７９３．５６８１、７９４．５４２１、７９５．５１８１、７９５．５５５、７９５．５８３７、７９５．５８３８、７９６．５２９、７９６．５２９２、７９６．５８７４、７９６．５８７６、８０１．５５５、８０３．５４４５、８０３．５６７７、８０３．５６８、８０３．５６８１、８０４．５４７６、８０４．５７１３、８０４．５７１８、８０４．７２２７、８０５．５６０５、８０５．５８３２、８０５．５８３９、８０６．５６３９、８０６．５８７３、８０７．５７５８、８０７．５９、８０８．５７９２、８０９．５９３６、８０９．５９３７、８１０．５３９９、８１０．５４、８１０．５９６９、８１０．５９７１、８１１．５７３２、８１１．６０９６、８１２．５７６１、８１２．５７６２、８１３．５８８５、８１４．５９１７、８１４．５９１９、８１７．５３７６、８１７．５３７７、８１７．５８４、８１９．５５５１、８１９．５６４１、８１９．５６４２、８２０．５６７７、８２０．５６８、８２１．５７１２、８２１．５７１３、８２５．６９２６、８２６．７０６９、８２７．５４４８、８２７．５７、８２７．５７０１、８２８．５７３６、８２８．５７３７、８２８．５７４３、８２９．５６０４、８２９．５８５６、８２９．５８５９、８３０．５８９４、８３０．７３５２、８３１．５７５９、８３１．５９９７、８３１．６００１、８３１．７４０８、８３２．５７９１、８３２．６０２６、８３２．６０３７、８３２．７４９２、８３２．７５２３、８３３．５９３２、８３３．７５７１、８３５．７００６、８３７．５０２７、８３７．５８８１、８３７．７１８、８３８．７２２６、８３９．６０３１、８４０．６０６３、８４７．５３１６、８４７．５９５３、８４７．５９５４、８５３．５８５４、８５３．５８６２、８５４．５９０２、８５５．６０１６、８５５．６０２３、８５５．６０２５、８５６．６０６１、８５６．６０６３、８５６．６７２、８５７．６１８６、８５８．６２１２、８５８．６８６１、８６１．７８０６、８７０．７３０７、８７１．５５２８、８７１．５９３４、８７１．５９３５、８８６．５５８２、８８７．７３５２、８８８．７３９４、９１４．７５８３、９１５．５１９１、９１５．７６８１、９１６．７７４３、９４２．７８７９、１０９８．９７３９、１０９８．９７４、１２２５．０９２、１２２６．０９６８及び１２２６．０９７；
以下の正確な質量が、ＡＤの存在若しくはリスク及び／又は認知障害の存在若しくはリスクの指標であり：
１８３．０６６１、２４６．１４６５、２８７．２８２４、３０２．２２５５、３０３．１０７９、３０４．２４１、３０５．２４３８、３０６．２５６９、３２０．２３５６、３４０．２９７６、３７１．３５４２、３８０．３０９６、４０９．０２０８、４１１．３２１２、４３０．３８１８、４３１．３８６、４４０．３５３２、４５８．２４０５、４７８．２５４、４７８．３６６４、４８１．３１７２、４８２．３２１５、４８４．３７９４、４８８．３８７３、４９０．３６４１、４９２．３８１６、４９３．３８５、４９４．４３４３、４９５．３３２、４９６．３３５５、５０４．３８１４、５０５．３２２９、５０６．２８５１、５０６．３２１３、５０７．３３１６、５０９．３４９３、５１２．４０８２、５１７．３１４、５１８．３１７４、５１８．４３４５、５１９．３３２１、５２０．３３５４、５２０．４４９９、５２１．３４７７、５２１．４５２２、５２２．３５１１、５２２．４６３５、５２３．３６３４、５２３．４６７９、５２９．３１６７、５３６．４７９４、５４１．３１３９、５４１．３４３２、５４１．３４３５、５４１．４４２５、５４２．３１７３、５４２．３４６１、５４３．３２９６、５４４．４４８１、５４５．３４５３、５４６．３４８５、５４８．４８１５、５４９．４８４５、５５０．４９５７、５５１．４９８６、５５２．５０２２、５５５．３１０２、５６４．５１３４、５６５．３３９４、５６６．３４３４、５６７．３５４７、５６８．３５７３、５６９．３６８７、５６９．３６９、５７０．３７２５、５７２．４８１６、５７３．４８５２、５７５．２７２８、５７８．５２７７、５７９．５３２５、５８０．５３５１、５８１．３３４４、５８２．２４７３、５８４．２６４６、５８９．３４０３、５９０．３４３、５９１．３５４２、５９２．３５７１、６０１．５１６４、６０４．５４３３、６０５．５４５７、６１４．４９１４、６１５．３５３９、６１５．４９３８、６１６．５０５２、６１７．５０８９、６１８．４８２９、６２５．５１６１、６２６．５２７８、６３０．５５８７、６３１．６２８、６３２．５０３２、６３２．５７６２、６６１．６２３３、６６２．５１７５、６６５．５０１、６７０．５６９、６７１．５７２３、６７５．６３７７、６８４．５４８９、６８５．２６、６８６．４８７７、６９１．１９５７、６９９．５１９８、７００．５５２、７０９．２５９４、７１１．２５７７、７１５．５１６７、７２２．５３３５、７２３．５１９５、７２３．５１９７、７２４．５２５７、７２５．５３８５、７２６．５４６１、７２７．５５６８、７２８．５６２７、７３１．４９１６、７３１．５４６４、７３２．４９３８、７３９．５１４３、７４１．５３０５、７４３．５４６６、７４３．５４６９、７４３．５４７１、７４４．４９５６、７４４．５５、７４４．５５３６、７４５．５６５８、７４６．５１１９、７４６．５５７、７４６．５７１７、７４７．５２０１、７４７．５２４５、７４８．５２８７、７４８．５７３５、７４９．５３６７、７４９．５４０７、７５０．５４０２、７５０．５４４、７５１．５５２９、７５１．５５５５、７５２．５５６４、７５２．５５８３、７５５．４８６、７５５．５４６７、７５５．５４６８、７５７．４９９１、７５７．５０１４、７５７．５６２５、７５７．５６２６、７５８．５０９２、７５８．５６５５、７５８．５６５６、７５９．５１６３、７５９．５７７９、７６０．５２１６、７６０．５８１１、７６１．５８４３、７６１．５８４６、７６５．５３１３、７６５．５３３４、７６７．５４７、７６７．５４９５、７６８．５５０３、７６８．５５３９、７６９．５６５６、７７１．５８１４、７７２．５２７８、７７２．５８６２、７７４．０３１６、７７５．５５２８、７７５．５５３３、７７７．５２８７、７７７．５５３、７７９．５４４４、７８０．５４７４、７８１．５６１７、７８１．５６２、７８２．５０８５、７８２．５６５、７８２．５６５３、７８３．５１４８、７８３．５６７２、７８３．５７７８、７８４．５２３７、７８４．５８１１、７８５．５９３３、７８６．５４１６、７８６．５９６７、７８７．５４６５、７８７．５７２９、７８９．５８９２、７９３．５３８６、７９３．５６８１、７９４．５４２１、７９５．５１８１、７９５．５５５、７９５．５８３８、７９６．５８７６、８０１．５５５、８０３．５４４５、８０３．５６７７、８０３．５６８、８０４．５４７６、８０４．５７１３、８０４．５７１８、８０５．５６０５、８０５．５８３２、８０５．５８３９、８０６．５６３９、８０６．５８７３、８０７．５７５８、８０７．５７６８、８０７．５９、８０８．５７９２、８０８．５８０３、８０９．５９３６、８１０．５３９９、８１０．５９６９、８１１．５７３２、８１１．６０９６、８１２．５７６２、８１３．５８８５、８１４．５９１７、８１７．５３７７、８１９．５５５１、８１９．５６４２、８２１．５７１２、８２４．６８９２、８２５．５５４４、８２５．６９２６、８２６．５５８１、８２６．７０６９、８２７．５４４８、８２７．５７、８２７．５７０１、８２８．５７３７、８２８．５７４３、８２９．５６０４、８２９．５８５６、８２９．５８５９、８２９．７２３９、８３０．５８９４、８３０．７３５２、８３０．７３６３、８３１．５７５９、８３１．５９９７、８３１．６００１、８３１．７３８７、８３１．７４０８、８３２．５７９１、８３２．６０２６、８３２．６０３７、８３２．７４９２、８３２．７５２３、８３３．５９３２、８３３．７５５１、８３３．７５７１、８３５．７００６、８３７．５０２７、８３７．５８８１、８３７．７１８、８３８．７２２６、８４７．５３１６、８５３．５８５４、８５３．５８６２、８５４．５９０２、８５５．６０１６、８５５．６０２３、８５６．６０６１、８５６．６７２、８５７．６１８６、８５８．６２１２、８５８．６８６１、８６０．７７５２、８６０．７７５６、８６１．７８０６、８６３．６８７６、８６５．７４８７、８６６．７５３２、８６７．７５７９、８７０．７３０７、８７１．５５２８、８８６．５５８２、８８７．７３５２、８８７．８００５、８８８．７３９４、８８９．７４９２、８９０．７５３５、９１３．７５１３、９１４．７５８３、９１５．５１９１、９１５．７６８１、９１６．７７４３、９２１．８１４５、９４２．７８７９、１０１９．３８３８及び１０９８．９７３９；
以下の正確な質量が、認知障害の存在又はリスクの指標であり：
１６１．１０５３、１７４．１４０９、１８３．０６６１、１８３．０６６２、１８６．１４０８、１８８．１５６６、１９７．８５４９、２００．１５６４、２０２．０４５３、２０２．１７２、２０３．１１５７、２０４．１８７６、２１４．１７２、２１６．１８７７、２１８．０１９２、２２８．１８７７、２３２．２１８８、２４２．２０３、２４３．０７１８、２４４．０５５９、２４４．２１８７、２４６．１４６５、２５３．８１６３、２５５．８１３５、２５７．８１０５、２６０．２１３５、２６２．２２９３、２６４．２４５２、２７０．２３４３、２７６．２０９５、２７８．２２５４、２７８．２２５５、２８３．９０２８、２９４．１４４３、２９４．２２０７、２９５．２２３９、２９５．２２８７、３０６．２５６９、３１１．７７５、３１２．２６６３、３１３．１１５３、３１３．２６９、３１３．７７２２、３２０．２３５６、３２０．２３５７、３３６．２６６２、３３８．２８２１、３３９．２８５、３５０．２４２３、３６５．３１５９、３８０．３０９６、３８２．１０８３、３８３．３２８４、３９２．２９３８、４２９．３７４９、４２９．６８８８、４３０．３８１８、４３１．３８６、４３１．９５７、４４４．２７１７、４４６．３４０３、４５８．２４０４、４５８．２４０５、４７４．３７０６、４８１．３１７２、４８２．３２１５、４８４．３０４１、４８９．６４５１、４９４．４３４２、４９５．３３２、４９６．３３５５、５０１．３２１２、５０４．３８１４、５０５．３２２９、５０６．３２１４、５０７．３３１６、５０８．３３５６、５０９．３４９４、５１２．３３５６、５１７．３１４、５１７．３７２２、５１８．３１７４、５１８．４３４６、５１９．３３２１、５２０．３３５３、５２０．４５、５２１．３４７４、５２１．３４７７、５２１．４５２２、５２２．４６３４、５２３．３６３４、５２３．３６３５、５２３．４６７８、５２３．４６８、５２９．３１６６、５３０．３２１３、５３０．３４７１、５３０．３８２、５３８．４２２４、５４１．３１３９、５４１．３４３、５４１．３４３２、５４１．３４３３、５４１．３４３５、５４２．３１７３、５４２．３４６１、５４３．３２９６、５４４．３９７１、５４４．４４７９、５４５．３４５３、５４５．６０６２、５４６．３４８５、５４６．３４８６、５４７．６０３１、５４８．４８１５、５４９．４８４４、５４９．４８４５、５４９．６００５、５５０．４９５６、５５１．４９８５、５５２．５０２１、５５５．３０９８、５５５．３１０１、５５５．３１０２、５５８．４６６７、５５９．４６９、５５９．４７、５６５．３３９３、５６５．３３９４、５６５．３３９６、５６５．４１０４、５６６．３４３４、５６６．４１３、５６７．３５４５、５６７．３５４７、５６８．３５７４、５６９．３６８５、５６９．３６８７、５６９．３６９、５７０．３７２４、５７２．４４６８、５７４．４５９７、５７５．２７２８、５７５．４６３２、５７５．４９９、５７６．４７７、５７６．５０９７、５７７．５１３６、５７９．５３２５、５８０．５３５、５８０．５３５２、５８１．３３４５、５８２．２４７３、５８９．３４０４、５９０．３４３１、５９１．３５４２、５９２．３５７１、５９３．４７４３、５９４．４８７８、５９５．４９３２、５９８．４９６５、６００．５１２７、６０２．５２８２、６０３．５３１７、６０４．５４３２、６０５．５４５６、６０６．４８６９、６０７．４９１９、６１３．３４０５、６１５．３５３９、６１６．４６７３、６２５．５０７５、６２５．５０７６、６２６．５１０８、６２６．５２７７、６２７．５２０１、６２７．５３０２、６２８．５４２１、６２９．５４４９、６３０．４８６１、６３０．５５８６、６３１．４９０２、６３１．５６１９、６３２．５０３５、６３３．５０７８、６４６．４８３７、６５１．５２２１、６５３．５３６、６５３．５３６１、６６１．６２３３、６６３．４８７、６６５．５０１、６７１．５７２６、６７５．６３５７、６７５．６３７７、６８０．５６２３、６８５．２６０１、６８６．４８８、６９９．５１９８、６９９．５２、７０２．５６７７、７０３．５７０９、７０９．２５９５、７１１．２５７７、７１５．５１６９、７１９．６２３３、７２２．４７８９、７２２．５３３４、７２２．５３３５、７２３．５１９５、７２３．５１９７、７２４．５２５６、７２４．５４９３、７２５．５３８５、７２５．５５２７、７２６．５４５９、７２７．５５６９、７２８．５６２６、７３１．４９１６、７３１．４９１７、７３１．５４６３、７３１．５４６４、７３２．４９３９、７３２．４９４、７３８．５４４５、７３８．５４４８、７３９．５１４１、７３９．５１６４、７４１．５３０７、７４３．５４６４、７４３．５４６７、７４３．５４６９、７４４．４９５４、７４４．５５、７４４．５５３５、７４５．５６５６、７４６．５１１９、７４６．５７１９、７４８．５７２１、７４８．５７３５、７４９．５３６５、７４９．５４０８、７４９．５７６、７４９．５７６１、７５０．５４０３、７５０．５４４、７５１．５５２９、７５１．５５５６、７５２．５５６４、７５２．５５８３、７５５．４８６１、７５５．５４６７、７５５．５４６８、７５７．４９８９、７５７．４９９１、７５７．４９９３、７５７．５０１４、７５７．５０１６、７５７．５６２６、７５８．５０９２、７５８．５０９４、７５８．５６５６、７５９．５１６４、７５９．５１６５、７５９．５７７９、７６０．５２１６、７６０．５２１７、７６０．５８１１、７６１．５８４３、７６３．５１５７、７６５．５３１３、７６７．５４６９、７６７．５４９４、７６８．５５０３、７６８．５５３９、７６９．５６５５、７７１．５８１５、７７２．５２８、７７２．５８６３、７７３．５３４７、７７３．５３７、７７５．５５３、７７５．５５３５、７７７．５２８７、７７７．５２８８、７７７．５５３、７７７．５５３１、７７９．５４４２、７７９．５４４４、７８０．５４７４、７８０．５４７５、７８１．５６１６、７８１．５６１７、７８２．５０８６、７８２．５６４９、７８２．５６５、７８３．４３１５、７８３．５１４８、７８３．５６７１、７８３．５６７２、７８４．５２３７、７８４．５２３９、７８４．５８１、７８４．５８１１、７８５．５９３３、７８６．５４１６、７８６．５９６７、７８７．５４６４、７９３．５３８６、７９３．５３８７、７９４．５４２１、７９４．５４２２、７９５．５１８１、７９５．５１８２、７９５．５１８３、７９５．５５５、７９５．５５５１、７９５．５８３９、７９８．６７４２、８０１．５５５、８０３．５４４５、８０３．５６７８、８０３．５６８、８０３．５６８１、８０４．５４７５、８０４．５４７６、８０４．５７１３、８０４．５７１８、８０４．７２３、８０５．５６０４、８０５．５６０５、８０５．５８３１、８０５．５８３２、８０５．５８３９、８０６．５６３７、８０６．５６３８、８０６．５６３９、８０６．５８７３、８０７．５７５７、８０７．５７５８、８０７．５７６８、８０７．５８９９、８０７．５９、８０８．５７９２、８０９．５９３６、８１０．５４０１、８１０．５９６９、８１１．６０９６、８１７．５３７５、８１７．５３７７、８１７．５３７８、８１７．５８３８、８１９．５５５１、８１９．５５５２、８１９．５５５３、８１９．５６４１、８２０．５６７９、８２１．５７１１、８２１．５７１２、８２１．５７１３、８２５．５５４４、８２５．６９２７、８２６．５５８１、８２６．７０４８、８２６．７０６９、８２６．７０７、８２７．５４４８、８２７．５６９９、８２７．５７、８２７．５７０１、８２７．７０８３、８２８．５７３６、８２８．５７３７、８２８．５７４２、８２８．７２０２、８２８．７２０７、８２９．５６０４、８２９．５８５６、８２９．５８５９、８２９．７２３９、８２９．７２４２、８２９．７２４４、８２９．７２４６、８３０．５８９４、８３０．７３５５、８３０．７３６２、８３１．５７５９、８３１．５７６、８３１．５９９５、８３１．５９９７、８３１．５９９８、８３１．６、８３１．７４０８、８３２．５７９１、８３２．５７９２、８３２．６０２４、８３２．６０２６、８３２．６０２７、８３２．６０３６、８３２．７４９５、８３２．７５２１、８３２．７５２２、８３３．５９３１、８３３．５９３２、８３３．７５５８、８３３．７５７、８３３．７５７１、８３５．６９９８、８３５．７００１、８３６．７０７６、８３７．５０２７、８３７．７１８、８３８．７２３２、８４２．７３８７、８４７．５３１６、８４７．５９５４、８５１．５６９８、８５２．５７３８、８５２．７２５、８５３．５８５４、８５３．５８５５、８５３．５８６２、８５３．７２９６、８５４．５９０２、８５５．６０１５、８５５．６０１６、８５５．６０２３、８５５．７４１７、８５６．６０６１、８５６．７４８１、８５７．６１８６、８５７．７５３１、８５８．６２１１、８５８．６２１２、８５８．６８６、８５８．７６３２、８５８．７６６３、８５９．７６９４、８５９．７６９５、８５９．７７０６、８６０．７７５３、８６１．７８０１、８６３．７３３６、８６４．７３８、８６４．７５９６、８６５．７４８６、８６６．７５３３、８６７．７５８１、８７１．５５２７、８７１．５５２８、８７１．５５２９、８７１．５９３５、８７８．７４、８７９．５９９９、８７９．７４５４、８８０．６０３５、８８０．７５１６、８８０．７５６６、８８１．７５５８、８８１．７６１６、８８２．７６６、８８２．７７２３、８８３．７７０５、８８３．７７６５、８８４．７８０１、８８４．７８７７、８８５．７８５４、８８５．７９２２、８８６．５５８２、８８６．５５８４、８８６．７９１６、８８６．７９１７、８８６．８０１２、８８７．７９９９、８８７．８００１、８９４．７８１、９０８．７８３２、９０９．７８８２、９１０．７９６８、９１１．８０３２、９１５．５１９１、９１５．５１９２、９２１．８１４２、９２１．８１５３、９２８．７５０５、９３１．７６９５、１０１９．３８３８、１０８５．３２９４、１０９８．９７４及び１２２８．１１１１；並びに
以下の正確な質量が、非ＡＤ認知症の存在又はリスクの指標である、方法：
１８３．０６６１、１９０．０３３、１９５．８５７７、２０２．０４５３、２０５．８８６５、２１５．９１５３、２１８．０１９２、２３１．８８９３、２４４．０５５９、２５２．２０９５、２６５．８４２３、２８２．２５７３、２８３．２６０２、３０３．１０７９、３０６．２５６９、３１０．２８８３、３５１．８９０３、３８２．１０８２、３９９．８１９６、４０１．８１６６、４０９．８４８４、４１９．８７７３、４２９．３７４９、４４０．３５３２、４５８．２４０５、４６７．８０７、４６９．８０４２、４８１．３１７２、４８２．３２１５、４８４．３７９４、４９４．４３４３、４９５．３３２、４９６．３３５５、５０７．７０５５、５１３．４１２２、５１７．３１４、５１８．３１７４、５１９．３３２１、５２０．３３５４、５２０．４４９９、５２１．３４７７、５２１．４５２２、５２２．３５１１、５２２．４６３５、５２３．３６３４、５２３．４６７９、５３５．７９４４、５３６．４７９４、５４１．３１３９、５４１．３４３２、５４２．３１７３、５４３．３２９６、５４５．３４５３、５４６．３４８５、５４８．４８１５、５４９．４８４５、５５０．４９５７、５５１．４９８６、５５２．５０２２、５５５．３１０２、５６５．３３９４、５６７．３５４７、５６８．３５７３、５６９．３６８７、５６９．４７８４、５７５．２７２８、５７６．５０９８、５７７．５１３７、５７９．５３２５、５８４．２６４６、５８５．２６６４、５８５．２６７３、５９１．３５４２、５９２．３５７１、５９９．４９３６、６２６．５１０４、６２８．５２３７、６３２．５７６２、６７５．６３７７、６８６．４８７７、６９１．１９５７、７００．５５２、７０３．５７０９、７２０．６４３８、７２１．６３９、７２２．５３３５、７２２．６４２４、７２３．５１９７、７３１．４９１６、７３１．５４６４、７３２．４９３８、７４４．４９５６、７４５．５６５８、７４６．５７１７、７４８．５７３５、７４９．５７７７、７５２．５５８３、７５５．４８６、７５５．５４６８、７５７．４９９１、７５７．５０１４、７５７．５６２６、７５８．５０９２、７５８．５６５６、７５９．５７７９、７６０．５２１６、７６０．５８１１、７６１．５８４３、７７７．５２８７、７７７．５５３、７７９．５４４１、７７９．５４４４、７８０．５４７４、７８０．５４７４、７８１．５６１７、７８２．５０８５、７８２．５６５、７８３．５６７２、７８４．５２３７、７８４．５８１１、７８５．５９３３、７８６．５９６７、７９３．５３８６、７９４．５４２１、７９５．５１８１、７９５．５５５、８０２．７０５６、８０３．５４４５、８０３．５６８、８０４．５４７６、８０４．５７１３、８０４．７２２７、８０５．５６０５、８０５．５８３２、８０５．５８３９、８０６．５６３９、８０６．５８７３、８０７．５７５８、８０７．５９、８０８．５７９２、８０９．５９３６、８１０．５９６９、８１１．６０９６、８１７．５３７７、８１９．５５５１、８２１．５７１２、８２５．６９２６、８２６．７０６９、８２７．５４４８、８２７．５７、８２７．７０８６、８２８．５７３７、８２８．７２０７、８２９．５６０４、８２９．５８５６、８２９．７２４６、８３０．７３５２、８３０．７３６３、８３１．５７５９、８３１．５９９７、８３１．７３８７、８３１．７４０８、８３２．５７９１、８３２．６０２６、８３２．７４９２、８３２．７５２３、８３３．５９３２、８３３．７５５１、８３３．７５７１、８３５．７００６、８３７．５０２７、８３７．７１８、８３８．７２２６、８３９．６０３１、８４０．６０６３、８４７．５３１６、８５３．５８５４、８５５．６０１６、８５６．６７２、８５８．６８６１、８５９．７６９６、８６０．７７５６、８６１．７８０６、８６３．６８７６、８６３．７３３６、８６４．７３８、８６５．７４８７、８６６．７５３２、８６７．７５７９、８７１．５５２８、８７４．７６４５、８８６．５５８２、９１５．５１９１、１０１８．９４２、１０１９．３８４、１２２７．１０７及び１２２８．１１１
（２）本件補正前の発明
　本件補正前の特許請求の範囲は、平成２５年７月３１日付け手続補正書によって補正された特許請求の範囲に記載されたとおりのものであり、請求項１は以下のとおりである。
「【請求項１】
患者のアルツハイマー病の健康状態若しくは健康状態における変化の判定方法、又は患者のアルツハイマー病、認知症、認知障害、アルツハイマー病のリスク、認知障害のリスク、若しくは認知症のリスクの判定方法であって、以下のａ）〜ｃ）のステップを含み：
　ａ）前記患者由来の少なくとも１つの血液試料を高分解能質量分析により分析して、正確な質量強度データを得るステップ、　
　ｂ）前記正確な質量強度データを、１又は複数の標準試料から得た対応するデータと比較して、前記正確な質量強度データにおける増加又は減少を確認するステップ、及び
　ｃ）前記正確な質量強度データにおける増加又は減少を用いて前記患者のアルツハイマー病の健康状態若しくは健康状態における変化の判定、又は前記患者におけるアルツハイマー病、認知症、認知障害、アルツハイマー病のリスク、認知障害のリスク、若しくは認知症のリスクを判定するステップ、前記正確な質量強度データが、ダルトン単位で、以下からなる群から選択される水素及び電子を調整した正確な質量若しくは正確な中性質量又はそれらと±５ｐｐｍの範囲内で、分析により得られる方法：
１６１．１０５３、１７４．１４０９、１８３．０６６１、１８３．０６６２、１８６．１４０８、１８８．１５６６、１９０．０３３０、１９５．８５７７、１９７．８５４９、２００．１５６４、２０２．０４５３、２０２．１７２０、２０３．１１５７、２０４．１８７６、２０５．８８６５、２１４．１７２０、２１５．９１５３、２１６．１８７７、２１８．０１９２、２２８．１８７７、２３１．８８９３、２３２．２１８８、２４２．２０３０、２４３．０７１８、２４４．０５５９、２４４．２１８７、２４６．１４６５、２４６．１４７２、２５２．２０９５、２５３．８１６３、２６０．２１３５、２６２．２２９３、２６４．２４５２、２７０．２３４３、２７６．２０９５、２７８．２２５４、２７８．２２５５、２８２．２５７３、２８３．２６０２、２８３．９０２８、２８７．２８２４、２９４．１４４３、２９４．２２０７、２９５．２２３９、２９５．２２８７、３０２．２２５５、３０３．１０７９、３０４．２４０２、３０４．２４１０、３０５．２４３８、３０６．２５６９、３１０．２８８３、３１２．２３１２、３１２．２６６３、３１３．１１５３、３１３．２６９０、３１３．７７２２、３２０．２３５６、３２０．２３５７、３２８．２４０２、３３６．２６６２、３３８．２８２１、３３９．２８５０、３４０．２９７６、３５０．２４２３、３５１．８９０３、３６５．３１５９、３７１．３５４２、３８０．３０９６、３８２．１０８２、３８２．１０８３、３８３．３２８３、３８３．３２８４、３９２．２９３８、３９９．８１９６、４０１．８１６６、４０９．０２０８、４０９．８４８４、４１１．３２１１、４１１．３２１２、４１９．８７７３、４２９．３７４９、４２９．６８８８、４３０．３８１８、４３１．３８６０、４３１．９５７０、４３２．３２５４、４４０．３５３２、４４４．２７１７、４４６．３４０３、４５８．２４０４、４５８．２４０５、４６７．８０７０、４６９．８０４２、４７４．３７０６、４７８．２５４０、４７８．３６６４、４８１．３１７２、４８２．３２１５、４８４．３０４１、４８４．３７９４、４８８．３８７３、４８９．６４５１、４９０．３６４１、４９２．３８１６、４９３．３８５０、４９４．４３４２、４９４．４３４３、４９５．３３２０、４９６．３３５５、５０１．３２１２、５０４．３８１４、５０５．３２２９、５０６．２８５１、５０６．３２１３、５０６．３２１４、５０７．３３１６、５０７．７０５５、５０８．３３５６、５０９．３４９３、５０９．３４９４、５１２．３３５６、５１２．４０８２、５１３．４１２２、５１７．３１３６、５１７．３１４０、５１７．３７２２、５１８．３１７４、５１８．４３４５、５１８．４３４６、５１９．３３２１、５２０．３３５３、５２０．３３５４、５２０．４４９９、５２０．４５００、５２１．３４７４、５２１．３４７７、５２１．４５２２、５２２．３５１１、５２２．４６３４、５２２．４６３５、５２３．３６３４、５２３．３６３５、５２３．４６７８、５２３．４６７９、５２３．４６８０、５２９．３１６６、５２９．３１６７、５３０．３２１３、５３０．３４７１、５３０．３８２０、５３０．３８２１、５３５．７９４４、５３６．４７９４、５３８．４２２４、５４１．３１３９、５４１．３４３０、５４１．３４３２、５４１．３４３３、５４１．３４３５、５４１．４４２５、５４２．３１７３、５４２．３４６１、５４３．３２９６、５４４．３９７０、５４４．３９７１、５４４．４４７９、５４４．４４８１、５４５．３４５３、５４５．６０６２、５４６．３４８５、５４６．３４８６、５４７．６０３１、５４８．４８１５、５４９．４８４４、５４９．４８４５、５４９．６００５、５５０．４９５６、５５０．４９５７、５５１．４９８５、５５１．４９８６、５５２．５０２１、５５２．５０２２、５５５．３０９８、５５５．３１０１、５５５．３１０２、５５８．４６６７、５５９．４６９０、５５９．４７００、５６４．５１３４、５６５．３３９３、５６５．３３９４、５６５．３３９６、５６５．４１０４、５６６．３４３４、５６６．４１３０、５６７．３５４５、５６７．３５４７、５６８．３５７３、５６８．３５７４、５６９．３６８５、５６９．３６８７、５６９．３６９０、５６９．４７８４、５７０．３７２４、５７０．３７２５、５７２．４４６８、５７２．４８１６、５７３．４８５２、５７４．４５９７、５７４．４６３７、５７５．２７２８、５７５．４６３２、５７５．４９９０、５７６．４７７０、５７６．５０９７、５７６．５０９８、５７７．５１３６、５７７．５１３７、５７８．５２７７、５７９．５３２５、５８０．５３５０、５８０．５３５１、５８０．５３５２、５８１．３３４４、５８１．３３４５、５８２．２４７３、５８４．２６４６、５８５．２６６４、５８５．２６７３、５８８．４７３１、５８９．３４０３、５８９．３４０４、５９０．３４３０、５９０．３４３１、５９１．３５４２、５９２．３５７１、５９３．４７４３、５９４．４８７８、５９５．４９３２、５９６．４７９１、５９７．４８４０、５９８．４９６５、５９８．５１２４、５９９．４９３６、６００．５１２７、６０１．５１６４、６０２．５２８２、６０３．５３１７、６０４．５４３２、６０４．５４３３、６０５．５４５６、６０５．５４５７、６０６．４８６９、６０７．４９１９、６１０．３６８６、６１３．３４０５、６１４．４９１４、６１５．３５３９、６１５．４７９８、６１５．４９３８、６１６．４６７３、６１６．５０５２、６１７．５０８９、６１８．４８２９、６２４．５１３１、６２５．５０７５、６２５．５０７６、６２５．５１６１、６２６．５１０４、６２６．５１０８、６２６．５２７７、６２６．５２７８、６２７．５２０１、６２７．５３０２、６２７．５３０４、６２８．５２３７、６２８．５４２１、６２９．５４４９、６３０．４８６１、６３０．５５８６、６３０．５５８７、６３１．４９０２、６３１．５６１９、６３１．６２８０、６３２．５０３２、６３２．５０３５、６３２．５７６２、６３３．５０７８、６３８．５１４９、６４０．５２９４、６４６．４８３７、６５１．５２２１、６５３．５３６０、６５３．５３６１、６６１．６２３３、６６２．５１７５、６６３．４８７０、６６３．５２１６、６６４．５３２２、６６４．５３２３、６６５．５０１０、６６５．５３５４、６６６．５４５５、６６６．５４５６、６６７．５４７４、６６７．５４７５、６７０．５６８９、６７０．５６９０、６７１．５７２２、６７１．５７２３、６７１．５７２６、６７５．６３５７、６７５．６３７７、６７８．５４７７、６８０．５６２３、６８４．５４８９、６８４．５４９１、６８５．２６００、６８５．２６０１、６８５．５５３８、６８６．４８７７、６８６．４８８０、６９１．１９５７、６９１．５９６０、６９４．６１６１、６９９．５１９８、６９９．５１９９、６９９．５２００、６９９．５２０３、７００．５５２０、７０１．５３５９、７０２．５６７７、７０３．５５１６、７０３．５７０９、７０５．６０９３、７０９．２５９４、７０９．２５９５、７１１．２５７７、７１５．５１６７、７１５．５１６９、７１９．６２３１、７１９．６２３３、７２０．６２５８、７２０．６４３８、７２１．６３９０、７２２．４７８９、７２２．５３３４、７２２．５３３５、７２２．６４２４、７２３．５１９４、７２３．５１９５、７２３．５１９７、７２３．５２０３、７２４．５２５６、７２４．５２５７、７２４．５２５８、７２４．５４９３、７２５．５３５９、７２５．５３８５、７２５．５５２７、７２６．５４５９、７２６．５４６１、７２６．５４６２、７２７．５５１６、７２７．５５６７、７２７．５５６８、７２７．５５６９、７２８．５６２６、７２８．５６２７、７２８．５６２９、７２９．５６７２、７３１．４９１４、７３１．４９１６、７３１．４９１７、７３１．５４６３、７３１．５４６４、７３１．５８２９、７３２．４９３７、７３２．４９３８、７３２．４９３９、７３２．４９４０、７３３．６４２６、７３８．５４４５、７３８．５４４８、７３９．５１４１、７３９．５１４２、７３９．５１４３、７３９．５１６４、７４１．５３０５、７４１．５３０７、７４１．５３１９、７４３．５４６４、７４３．５４６６、７４３．５４６７、７４３．５４６８、７４３．５４６９、７４３．５４７０、７４３．５４７１、７４４．４９５４、７４４．４９５６、７４４．５５００、７４４．５５３５、７４４．５５３６、７４５．５６５６、７４５．５６５８、７４６．５１１９、７４６．５５７０、７４６．５７１４、７４６．５７１７、７４６．５７１９、７４７．５２０１、７４７．５２０３、７４７．５２４４、７４７．５２４５、７４８．５２８６、７４８．５２８７、７４８．５７２１、７４８．５７３５、７４９．５３５９、７４９．５３６５、７４９．５３６７、７４９．５４０６、７４９．５４０７、７４９．５４０８、７４９．５７６０、７４９．５７６１、７４９．５７７７、７５０．５４０２、７５０．５４０３、７５０．５４３８、７５０．５４４０、７５１．５５１６、７５１．５５２９、７５１．５５５３、７５１．５５５５、７５１．５５５６、７５２．５５６４、７５２．５５８１、７５２．５５８３、７５３．５６７２、７５３．５６７２、７５５．４８６０、７５５．４８６１、７５５．５４６７、７５５．５４６８、７５７．４９８９、７５７．４９９１、７５７．４９９３、７５７．５０１４、７５７．５０１６、７５７．５６２５、７５７．５６２６、７５８．５０９２、７５８．５０９４、７５８．５６５５、７５８．５６５６、７５９．５１６２、７５９．５１６３、７５９．５１６４、７５９．５１６５、７５９．５７７９、７６０．５２１５、７６０．５２１６、７６０．５２１７、７６０．５８１１、７６１．５８４３、７６１．５８４６、７６３．５１５７、７６５．５３１３、７６５．５３３４、７６５．５３３５、７６７．５４６９、７６７．５４７０、７６７．５４９４、７６７．５４９５、７６８．５５０３、７６８．５５０４、７６８．５５３８、７６８．５５３９、７６９．５６５４、７６９．５６５５、７６９．５６５６、７７１．５８１３、７７１．５８１４、７７１．５８１５、７７２．５２７８、７７２．５２８０、７７２．５８６０、７７２．５８６２、７７２．５８６３、７７３．５３４７、７７３．５３６８、７７３．５３７０、７７４．０３１３、７７４．０３１６、７７５．５５１６、７７５．５５２７、７７５．５５２８、７７５．５５３０、７７５．５５３３、７７５．５５３５、７７７．５２８７、７７７．５２８８、７７７．５５３０、７７７．５５３１、７７７．５６７２、７７９．５４４１、７７９．５４４２、７７９．５４４４、７７９．５８２９、７８０．５４７４、７８０．５４７５、７８１．５６１６、７８１．５６１７、７８１．５６２０、７８１．５９８５、７８２．５０８４、７８２．５０８５、７８２．５０８６、７８２．５６４９、７８２．５６５０、７８２．５６５３、７８３．４３１５、７８３．５１４７、７８３．５１４８、７８３．５６７１、７８３．５６７２、７８３．５７７８、７８４．５２３５、７８４．５２３７、７８４．５２３９、７８４．５８１０、７８４．５８１１、７８５．５９３３、７８６．５４１５、７８６．５４１６、７８６．５９６７、７８７．５４６４、７８７．５４６５、７８７．５７２８、７８７．５７２９、７８９．５８９２、７８９．５８９３、７９３．５３８６、７９３．５３８７、７９３．５６７９、７９３．５６８１、７９４．５４２１、７９４．５４２２、７９５．５１８１、７９５．５１８２、７９５．５１８３、７９５．５５５０、
７９５．５５５１、７９５．５８３７、７９５．５８３８、７９５．５８３９、７９６．５２９０、７９６．５２９２、７９６．５８７４、７９６．５８７６、７９８．６７４２、８０１．５５５０、８０２．７０５６、８０３．５４４５、８０３．５６７７、８０３．５６７８、８０３．５６８０、８０３．５６８１、８０４．５４７５、８０４．５４７６、８０４．５７１３、８０４．５７１８、８０４．７２２７、８０４．７２３０、８０５．５６０４、８０５．５６０５、８０５．５８３１、８０５．５８３２、８０５．５８３９、８０６．５６３７、８０６．５６３８、８０６．５６３９、８０６．５８７３、８０７．５７５７、８０７．５７５８、８０７．５７６８、８０７．５８９９、８０７．５９００、８０８．５７９２、８０８．５８０３、８０９．５９３６、８０９．５９３７、８１０．５３９９、８１０．５４００、８１０．５４０１、８１０．５９６９、８１０．５９７１、８１１．５７３２、８１１．６０９６、８１２．５７６１、８１２．５７６２、８１３．５８８５、８１４．５９１７、８１４．５９１９、８１７．５３７５、８１７．５３７６、８１７．５３７７、８１７．５３７８、８１７．５８３８、８１７．５８４０、８１９．５５５１、８１９．５５５２、８１９．５５５３、８１９．５６４１、８１９．５６４２、８２０．５６７７、８２０．５６７９、８２０．５６８０、８２１．５７１１、８２１．５７１２、８２１．５７１３、８２４．６８９２、８２５．５５４４、８２５．６９２６、８２５．６９２７、８２６．５５８１、８２６．７０４８、８２６．７０６９、８２６．７０７０、８２７．５４４８、８２７．５６９９、８２７．５７００、８２７．５７０１、８２７．７０８３、８２７．７０８６、８２８．５７３６、８２８．５７３７、８２８．５７４２、８２８．５７４３、８２８．７２０２、８２８．７２０７、８２９．５６０４、８２９．５８５６、８２９．５８５９、８２９．７２３９、８２９．７２４２、８２９．７２４４、８２９．７２４６、８３０．５８９４、８３０．７３５２、８３０．７３５５、８３０．７３６２、８３０．７３６３、８３１．５７５９、８３１．５７６０、８３１．５９９５、８３１．５９９７、８３１．５９９８、８３１．６０００、８３１．６００１、８３１．７３８７、８３１．７４０８、８３２．５７９１、８３２．５７９２、８３２．６０２４、８３２．６０２６、８３２．６０２７、８３２．６０３６、８３２．６０３７、８３２．７４９２、８３２．７４９５、８３２．７５２１、８３２．７５２２、８３２．７５２３、８３３．５９３１、８３３．５９３２、８３３．７５５１、８３３．７５５８、８３３．７５７０、８３３．７５７１、８３５．６９９８、８３５．７００１、８３５．７００６、８３６．７０７６、８３７．５０２７、８３７．５８８１、８３７．７１８０、８３８．７２２６、８３８．７２３２、８３９．６０３１、８４０．６０６３、８４２．７３８７、８４７．５３１６、８４７．５９５３、８４７．５９５４、８５１．５６９８、８５２．５７３８、８５２．７２５０、８５３．５８５４、８５３．５８５５、８５３．５８６２、８５３．７２９６、８５４．５９０２、８５５．６０１５、８５５．６０１６、８５５．６０２３、８５５．６０２５、８５５．７４１７、８５６．６０６１、８５６．６０６３、８５６．６７２０、８５６．７４８１、８５７．６１８６、８５７．７５３１、８５８．６２１１、８５８．６２１２、８５８．６８６０、８５８．６８６１、８５８．７６３２、８５８．７６６３、８５９．７６９４、８５９．７６９５、８５９．７６９６、８５９．７７０６、８６０．７７５２、８６０．７７５３、８６０．７７５６、８６１．７８０１、８６１．７８０６、８６３．６８７６、８６３．７３３６、８６４．７３８０、８６４．７５９６、８６５．７４８６、８６５．７４８７、８６６．７５３２、８６６．７５３３、８６７．７５７９、８６７．７５８１、８７０．７３０７、８７１．５５２７、８７１．５５２８、８７１．５５２９、８７１．５９３４、８７１．５９３５、８７４．７６４５、８７８．７４００、８７９．５９９９、８７９．７４５４、８８０．６０３５、８８０．７５１６、８８０．７５６６、８８１．７５５８、８８１．７６１６、８８２．７６６０、８８２．７７２３、８８３．７７０５、８８３．７７６５、８８４．７８０１、８８４．７８７７、８８５．７８５４、８８５．７９２２、８８６．５５８２、８８６．５５８４、８８６．７９１６、８８６．７９１７、８８６．８０１２、８８７．７３５２、８８７．７９９９、８８７．８００１、８８７．８００５、８８８．７３９４、８８９．７４９２、８９０．７５３５、８９４．７８１０、９０８．７８３２、９０９．７８８２、９１０．７９６８、９１１．８０３２、９１３．７５１３、９１４．７５８３、９１５．５１９１、９１５．５１９２、９１５．７６８１、９１６．７７４３、９２１．８１４２、９２１．８１４５、９２１．８１５３、９２８．７５０５、９３１．７６９５、９４２．７８７９、１０１８．９４２０、１０１９．３８３８、１０１９．３８４０、１０８５．３２９４、１０９８．９７３９、１０９８．９７４０、１２２５．０９２０、１２２６．０９６８、１２２６．０９７０、１２２７．１０７０、１２２８．１１１０、１２２８．１１１１及びそれらの組合せ。」
（３）本件補正の内容
　上記請求項１についての補正事項は、
（i）本件補正前の「・・・若しくは認知症のリスクの判定方法であって、・・・」を「若しくは認知症のリスクの判定をするためのデータを収集する方法であって、」に、
(ii)本件補正前の「増加又は減少を用いて」を「増加又は減少を指標として用いて」に
補正するとともに、
(iii)本件補正前の列挙された「正確な質量」について、「以下の正確な質量が、ＡＤの存在又はリスクの指標であり：・・・（途中省略）・・・以下の正確な質量が、ＡＤの存在若しくはリスク及び／又は認知障害の存在若しくはリスクの指標であり：・・・（途中省略）・・・以下の正確な質量が、認知障害の存在又はリスクの指標であり：・・・（途中省略）・・・並びに以下の正確な質量が、非ＡＤ認知症の存在又はリスクの指標である、方法：・・・（以下省略）・・・」というように、上記本件補正前の羅列している各「正確な質量」の数値を、「ＡＤの存在又はリスクの指標」、「ＡＤの存在若しくはリスク及び／又は認知障害の存在若しくはリスクの指標」、「認知障害の存在又はリスクの指標」、「非ＡＤ認知症の存在又はリスクの指標」の具体的にどの指標として用いるかを特定しようとするものである。
　上記補正事項（iii）の補正の適否について以下に検討する。
２　補正の適否について
（１）補正の目的ついて
　上記補正事項（iii）は、「認知障害の存在又はリスクの指標」となる「正確な質量」として、「２５５．８１３５」、「２５７．８１０５」、「３１１．７５５」を選択的に含み、「非ＡＤ認知症の存在又はリスクの指標」となる「正確な質量」として、「２６５．８４２３」を選択的に含むものである。しかし、本件補正前の請求項１には、これら４つの「正確な質量」は記載されていない。そのため、これら４つの「正確な質量」を新たに選択的な指標として含む上記補正事項（iii）は、指標の選択肢を拡張するものであるから、平成１８年法律第５５号改正附則第３条第１項によりなお従前の例によるとされる同法による改正前の特許法（以下「平成１８年改正前特許法」という。）第１７条の２第４項第２号の特許請求の範囲の減縮を目的とするものではない。
　また、上記補正事項（iii）が、請求項の削除、誤記の訂正又は明りょうでない記載の釈明のいずれにも該当しないことは明らかである。
　したがって、本件補正は、平成１８年改正前特許法第１７条の２第４項の規定に違反するので、同法第１５９条第１項において読み替えて準用する同法第５３条第１項の規定により却下すべきものである。
（２）独立特許要件について
　上記補正事項（iii）が、平成１８年改正前特許法第１７条の２第４項第２号の特許請求の範囲の減縮を目的とするものであるとしても、本件補正後の請求項１に係る発明（以下「本件補正発明」という。）は、下記のとおり、特許出願の際独立して特許を受けることができるものではない。
ア　特許法第３６条第６項第１号（サポート要件）について
（ア）　本件補正発明は、「ａ）前記患者由来の少なくとも１つの血液試料を高分解能質量分析により分析して、正確な質量強度データを得るステップ、
ｂ）前記正確な質量強度データを、１又は複数の標準試料から得た対応するデータと比較して、前記正確な質量強度データにおける増加又は減少を確認するステップ、及び
ｃ）前記正確な質量強度データにおける増加又は減少を指標として用いて前記患者のアルツハイマー病の健康状態若しくは健康状態における変化の判定、又は前記患者におけるアルツハイマー病、認知症、認知障害、アルツハイマー病のリスク、認知障害のリスク、若しくは認知症のリスクを判定するステップ、」とａ）〜ｃ）の各ステップが特定されており、この特定における「正確な質量強度データ」については、「前記正確な質量強度データが、ダルトン単位で、
以下からなる群から選択される
　本件補正発明は、上記摘記のとおり、「質量強度データ」については、多数の「正確な質量」の「群から選択される」と特定されていることから、上記４種の指標に限定されていない「正確な質量」の質量強度データだけでａ）〜ｃ）のステップを行うこと、つまり、上記４種の指標に限定されていない「正確な質量」の質量強度データのそれぞれによって、患者のアルツハイマー病の健康状態若しくは健康状態における変化、患者におけるアルツハイマー病、認知症、認知障害、アルツハイマー病のリスク、認知障害のリスク、又は認知症のリスクのそれぞれの判定を行うことが本件補正発明の範囲に含まれる。してみれば、本件補正発明全体が、発明の詳細な説明に記載したものというためには、発明の詳細な説明によって、各質量強度データが、それぞれの判定に有効であることが裏付けられている必要がある。
　しかし、例えば、上記４種の指標に限定されていない「正確な質量」として上記で例示した「正確な質量」のうち２４６．１４７２、４３２．３２５４、５９６．４７９１、５９７．４８４については、表８に記載されているが、表８は「ＭＭＳＥで測定された軽度認知障害（ＭＭＳＥ　１８〜２３）、重度認知障害（ＭＭＳＥ≦１７）及び正常な認知能力（ＭＭＳＥ≧２８）を有する患者の間での異なる正確な質量の特性。」であるから、これらの「正確な質量」に対する質量強度データが認知障害の判定に有効であることが裏付けられているとしても、アルツハイマー病の判定に有効であることが裏付けられているとは認められない。また、上記で例示した「正確な質量」のうち、３０４．２４０２、３２８．２４０２、６９９．５２０３については、表１８などに記載されているものの、例えば、３０４．２４０２については、いずれかの判定に有効であることすら裏付けられていない。
　してみれば、「２４６．１４７２、４３２．３２５４、５９６．４７９１、５９７．４８４」でアルツハイマー病を判定すること、及び、「３０４．２４０２、３２８．２４０２、６９９．５２０３」で上記各種の判定をすることは、発明の詳細な説明に記載されているとはいえず、これらの事項を含む本件補正発明は、発明の詳細な説明に記載したものとはいえない。
（イ）　本件補正発明において、「非ＡＤ認知症の存在又はリスクの指標」として特定されている「正確な質量」は、発明の詳細な説明の表５（「臨床的に診断された非ＡＤ患者及び非認知症対照の間で異なる正確な質量の特性（ｐ＜０．０５、ｌｏｇ２変換）。」）に記載されている「正確な質量」である。表５に記載されている「正確な質量」の中には、表１（「臨床的に診断されたＡＤ患者及び非認知症対照の間で異なる正確な質量の特性（ｐ＜０．０５、ｌｏｇ２変換）。」）に記載されており、表１０（「ＡＤと非ＡＤ病状の間の明確な識別を示す患者間で異なる正確な質量特性（ｐ＜０．０５、ｌｏｇ２変換）。」）には記載されていない「正確な質量」が多数存在する（例えば、１８３．０６６１、３０３．１０７９、４４０．３５３２等が挙げられる。）。このような「正確な質量」は、表１中に存在し、表１０中に存在しないことから、その「正確な質量」の質量強度データの増加又は減少は、アルツハイマー病と健常者との間でも有意差があり、アルツハイマー病と非ＡＤ認知症との間で有意差がないため、非ＡＤ認知症のみの判別に有効でない。そうすると、その「正確な質量」の質量強度データの増加又は減少は、アルツハイマー病か非ＡＤ認知症であること、つまり認知障害を判定するのに有効であるが、それがアルツハイマー病ではなく非ＡＤ認知症であることを判別するのには有効でない。したがって、表５に記載されている「正確な質量」が、「非ＡＤ認知症の存在又はリスクの指標」として有効であるとは必ずしもいえない。
　また、このような指摘について、「ＡＤの存在又はリスクの指標」、「ＡＤの存在若しくはリスク及び／又は認知障害の存在若しくはリスクの指標」、「認知障害の存在又はリスクの指標」に対しても、同様のことがいえる。
　よって、本件補正発明において、「ＡＤの存在又はリスクの指標」、「ＡＤの存在若しくはリスク及び／又は認知障害の存在若しくはリスクの指標」、「認知障害の存在又はリスクの指標」、「非ＡＤ認知症の存在又はリスクの指標」として特定された全ての「正確な質量」は、それぞれの指標として有効であることが、発明の詳細な説明において十分に裏付けられていないことから、本件補正発明は、発明の詳細な説明に記載したものとはいえない。
（ウ）　本件補正発明における「ＡＤの存在又はリスクの指標」で特定されている「正確な質量」は、発明の詳細な説明の表１、３、１０に記載されている「正確な質量」を網羅的に含むものである。そして、表１は「臨床的に診断されたＡＤ患者及び非認知症対照との間で異なる正確な質量の特性（ｐ＜０．０５、ｌｏｇ２変換）。」であり、ＡＤ患者と非認知症対照との間で質量強度データに有意差のあった「正確な質量」を記載している。しかし、この表において、５６５．３３９４，７５９．５７７９、７６０．５８１１は重複して記載されており、重複した記載間では、分析モード、平均質量強度データ、及び平均値の標準誤差（ＳＥＭ）が異なっているだけでなく、有意差があるか否かの判断に決定的な意味を持つｐ値が大きく異なっている（例えば、５６５．３３９４については、分析モードが１１０２で、
ｐ値が１．２８Ｅ−０７
ｐ値が０．０４３９
　よって、「正確な質量」の分析モードが特定されていない本件補正発明は、発明の詳細な説明に記載したものとはいえない。
イ　特許法第２９条第１項柱書きについて
　本件補正発明は、「前記正確な質量強度データにおける増加又は減少を指標として用いて前記患者のアルツハイマー病の健康状態若しくは健康状態における変化の判定、又は前記患者におけるアルツハイマー病、認知症、認知障害、アルツハイマー病のリスク、認知障害のリスク、若しくは認知症のリスクを判定するステップ」というステップを含み、このステップは、アルツハイマー病、認知症、又は認知障害を判定することを含むものであり、判定を行う主体は特定されていないので、質量強度データの増加又は減少を指標として用いて人がアルツハイマー病等の判定することが含まれ、人がアルツハイマー病等を判定することは診断であるから、本件補正発明は、産業上利用することができる発明に該当しない。
ウ　請求人の主張
　請求人は、請求の理由において「今回の補正により、補正前請求項１及び２に列挙されていた各質量のデータが、どのようなリスク判定に用い得るデータとなるかをより詳細に特定いたしました（補正後請求項１及び２参照）。
　そして、補正後請求項１及び２における「ＡＤの存在又はリスクの指標」の各質量は、本願の表１、表３及び表１０に裏付けられており、「ＡＤの存在若しくはリスク及び／又は認知障害の存在若しくはリスクの指標」の各質量は、本願の表２及び表６に裏付けられており、「認知障害の存在又はリスクの指標」の各質量は、本願の表４、表７、表１１及び表１２に裏付けられており、「非ＡＤ認知症の存在又はリスクの指標」の各質量は、本願の表５に裏付けられております。
　したがいまして、補正後請求項１及び２（及びそれらに従属する補正後請求項３〜２１）に係る発明は、本願の発明の詳細な説明に十分に記載したものであると思料します。」と主張している。しかし、上記ア（ア）のとおり、本件補正によっても詳細に特定されていない質量のデータが存在しており、さらに、詳細に特定された質量のデータであっても、上記ア（イ）のとおり、各指標として有効であることが発明の詳細な説明によって十分に裏付けられていないので、上記主張は採用できない。
　また、請求人は、請求の理由において、「補正前請求項１における「判定方法」を「判定をするためのデータを収集する方法」に補正し（補正後請求項１参照）、補正前請求項２における「療法の効力評価方法」を「療法の効力を評価するためのデータを収集する方法」に補正いたしました（補正後請求項２参照）。
　また、補正前請求項１のｃ）及び補正前請求項２のｃ）に「指標として」との語句を追加することにより、得られた質量強度データにおける増加又は減少が、状態改善の判断において、客観的な指標として用いられることを明確化いたしました（補正後請求項１及び２参照）。
　補正後請求項１及び２に係る発明には、人間の診断方法は包含されていないものと思料します。」と主張している。しかし、本件補正発明は、上記イで指摘したとおり、依然として人が病気を判定することを含むものであるから、この主張も採用できない。
エ　小括
　以上のとおりであるから、本件補正発明は特許法第２９条第１項柱書きに規定する要件及び特許法第３６条第６項第１項に規定する要件を満たしておらず、特許出願の際、独立して特許を受けることができないものである。
　したがって、本件補正は、平成１８年改正前特許法第１７条の２第５項において準用する同法第１２６条第５項の規定に違反するので、同法第１５９条第１項において読み替えて準用する同法第５３条第１項の規定により却下すべきものである。
３　補正却下の決定のむすび
　上記２（１）及び（２）に示したとおり、本件補正は、平成１８年改正前特許法第１７条の２第４項の規定に違反する補正を含むものであり、仮に、平成１８年改正前特許法第１７条の２第４項第２号の特許請求の範囲の減縮を目的とするものに該当するとしても、本件補正発明が特許出願の際に独立して特許を受けることができないものであるから、何れにしても却下されるべきものである。
第３　本願発明について
　平成２６年６月２６日付けの手続補正は、上記のとおり却下されたので、本願の特許請求の範囲の請求項１〜２１に係る発明は、平成２５年７月３１日付け手続補正書によって補正された特許請求の範囲の請求項１〜２１に記載されたとおりのものであり、そのうち請求項１に係る発明（以下、「本願発明」という。）は上記第２の１（２）で摘記したとおりである。
第４　原査定の理由
　原査定は、特許請求の範囲の記載が特許法第３６条第６項第１号に規定する要件を満たしていないという理由で本願を拒絶しており、その概要は次のとおりである。
　「請求項１では、患者のアルツハイマー病の健康状態若しくは健康状態における変化の判定方法、又は患者のアルツハイマー病、認知症、認知障害、アルツハイマー病のリスク、認知障害のリスク、若しくは認知症のリスクの判定方法であって、選択的に挙げられた多数の「正確な質量」の質量強度データにおける増加又は減少を確認することが特定されている。この場合、請求項に係る発明が発明の詳細な説明に記載したものであるためには、選択的に挙げられた多数の「正確な質量」の質量強度データのそれぞれが、患者のアルツハイマー病の健康状態若しくは健康状態における変化の判定方法、又は患者のアルツハイマー病、認知症、認知障害、アルツハイマー病のリスク、認知障害のリスク、若しくは認知症のリスクのそれぞれの判定に用いることができなければならない。
　しかし、選択的に挙げられた多数の「正確な質量」の質量強度データの増加又は加減が、上記各判定について有効であることが、十分裏付けられていない。」
第５　当審の判断
１　本願発明は、本件補正発明の「以下の正確な質量が、ＡＤの存在又はリスクの指標であり：」という記載より前に記載された質量を「以下の正確な質量が、ＡＤの存在又はリスクの指標であり：・・・（途中省略）・・・以下の正確な質量が、ＡＤの存在若しくはリスク及び／又は認知障害の存在若しくはリスクの指標であり：・・・（途中省略）・・・以下の正確な質量が、認知障害の存在又はリスクの指標であり：・・・（途中省略）・・・並びに以下の正確な質量が、非ＡＤ認知症の存在又はリスクの指標である、方法：・・・（以下省略）・・・」というどの判定に用いるデータかの特定がないものであるから、列挙された「正確な質量」それぞれが、患者のアルツハイマー病の健康状態若しくは健康状態における変化、患者におけるアルツハイマー病、認知症、認知障害、アルツハイマー病のリスク、認知障害のリスク、又は認知症のリスクのそれぞれの判定に用られることを本願発明の範囲に含むものである。そうすると、本願発明が、発明の詳細な説明に記載したものというためには、発明の詳細な説明によって、各正確な質量強度データが、全ての判定に有効であることが裏付けられている必要がある。
　しかし、本願発明は、正確な質量強度データとして、「正確な質量」が２４６．１４７２、４３２．３２５４、５９６．４７９１、５９７．４８４、３０４．２４０２であることを選択肢として含むことが特定されており、これらの「正確な質量」の質量強度データのそれぞれが、上記それぞれの判定に有効であることが発明の詳細な説明に裏付けられていないことは、上記第２の（２）ア（ア）で指摘したとおりである。そして、本願発明で特定された他の各「正確な質量」それぞれについても、特定の判定については有効であることが発明の詳細な説明において裏付けられているとしても、上記それぞれの判定について有効であることを裏付ける実験データ等は開示されていない。
　さらに、本願発明についても、上記第２の（２）ア（ウ）の指摘のとおり、「正確な質量」の分析モードが特定されていないので、その特定された「正確な質量」が上記判定に有効なものとはいえない。
　よって、本願発明は、発明の詳細な説明に記載したものとはいえない。
２　まとめ
　したがって、上記第４で記載した拒絶理由について、上記１で判断したとおり、本願発明は、発明の詳細な説明に記載したものとはいえないから、本願発明についての請求項１の記載が、特許法第３６条第６項第１号に規定する要件を満たしているとはいえない。
第６　むすび
　以上のとおり、本願は、特許請求の範囲の請求項１の記載が特許法第３６条第６項第１号に規定する要件を満たしていないことから、その余の請求項に係る発明については検討するまでもなく、本願は拒絶されるべきものである。
  よって、結論のとおり審決する。